(57)【要約】【課題】  効率的に高さ調整が可能な床下支持部材を提供する。【解決手段】  胴部２と、床下材を支持すると共に前記胴部２の一方の端部に螺合される第１支持部３Ａと、床下面に対する接触面を有すると共に胴部２の他方の端部に螺合される第２支持部３Ｂと、から床下支持部材１を構成する。胴部２の回転によって、第１支持部３Ａ及び第２支持部３Ｂは胴部２に対して進退可能となっている。【選択図】              図１
2005220583.tif 000002
【特許請求の範囲】
【請求項１】
建造物の床材および床下面間に設置されて床材を支持する床下支持部材において、
胴部と、
床材を支持すると共に前記胴部の一方の端部に螺合される第１支持部と、
床下面に対する接触面を有すると共に前記胴部の他方の端部に螺合される第２支持部とを含み、且つ、
前記胴部の回転により、前記第１支持部および第２支持部が前記胴部に対して進退可能なことを特徴とする床下支持部材。
【請求項２】
前記第１支持部および前記第２支持部が、前記胴部を中心として略対称に設置される請求項１に記載の床下支持部材。
【請求項３】
前記胴部が、棒状部材を挿入可能な孔もしくは穴を有する請求項１または２に記載の床下支持部材。
【請求項４】
前記第１支持部および前記第２支持部の少なくとも一方が、振動を吸収する弾性部材を内部に有する請求項１〜３のいずれかに記載の床下支持部材。
【発明の詳細な説明】
【技術分野】
【０００１】
本発明は、床下支持部材に関し、さらに詳しくは、効率的に高さ調整が可能な床下支持部材に関する。
【背景技術】
【０００２】
従来、床下支持部材としては、特許文献１に記載されるものが知られている。床下支持部材は、建築物の床下材と床下面との間に設置されるときに、その高さ調整を行う必要があるが、この床下支持部材では、高さ調整機構を構成するナットをスパナによって回転させて、その高さ調整を行っていた。
【０００３】
【特許文献１】特開２００２−３０３０３４号公報
【発明の開示】
【発明が解決しようとする課題】
【０００４】
しかしながら、床下は狭い上に暗いので、作業員は手探りで床下支持部材の高さ調整を行う場合もあり、又、スパナを使用してナットを回転させるのは面倒であり、従来の床下支持部材では、その高さ調整を効率的に行うことができなかった。
【０００５】
本発明は、かかる従来の問題点に鑑みて為されたものであって、効率的に高さ調整が可能な床下支持部材を提供することを目的とする。
【課題を解決するための手段】
【０００６】
上記目的を達成するため、本発明の床下支持部材は、建造物の床材および床下面間に設置されて床材を支持する床下支持部材において、胴部と、床材を支持すると共に前記胴部の一方の端部に螺合される第１支持部と、床下面に対する接触面を有すると共に前記胴部の他方の端部に螺合される第２支持部とを含み、且つ、前記胴部の回転により、前記第１支持部および第２支持部が前記胴部に対して進退可能なことを特徴とする。
【０００７】
かかる構成によれば、胴部が回転すると、第１支持部および第２支持部の双方が胴部に対して進退して、床下支持部材が伸縮する。これにより、容易かつ効率的に床下支持部材の高さ調整を為し得る利点がある。
【０００８】
また、本発明にかかる床下支持部材は、前記第１支持部および前記第２支持部が、前記胴部を中心として略対称に設置される。
【０００９】
これによって、暗く狭い床下においても、床下支持部材の上下を意識することなく床下支持部材の設置作業を為し得るので、その作業性を効率化できる利点がある。
【００１０】
また、本発明にかかる床下支持部材は、前記胴部が、棒状部材を挿入可能な孔もしくは穴を有する。
【００１１】
かかる構成によれば、作業時にて、胴部の孔もしくは穴に棒状部材を挿入して回転させることにより、梃子の原理によって容易に床下支持部材を伸縮させ得る。これにより、床下支持部材の高さ調整をより効率的に為し得る利点がある。
【００１２】
また、本発明にかかる床下支持部材は、前記第１支持部および前記第２支持部の少なくとも一方が、振動を吸収する弾性部材を内部に有する。
【００１３】
かかる構成によれば、弾性部材が地震等による振動を吸収するので、振動時にも床下支持部材が床材をしっかりと支持する利点がある。
【発明を実施するための最良の形態】
【００１４】
以下、本発明の床下支持部材の好適な実施形態について、図面を参照しつつ詳細に説明する。
尚、ここに記載した実施例によって、本発明が限定されるものではない。又、以下に示す実施例の構成要素には、当業者が置換可能かつ容易なもの、或いは実質的同一のものが含まれる。
【実施例１】
【００１５】
図１は、本発明の床下支持部材の（Ａ）は平面図、（Ｂ）は正面図、（Ｃ）は右側面図であり、図２は、本発明の床下支持部材の縦断面図であり、図３は、本発明の床下支持部材を伸長させた状態を示す正面図であり、図４は、本発明の床下支持部材の使用状態を示す正面図である。
【００１６】
本発明の床下支持部材１は、建築物の床下材Ａと床下面Ｂとの間に設置され、これらの間において支持棒のように突っ張って建築物の床下構造を補強する。
本発明の床下支持部材１は、図１に示すように、胴部２、第１支持部３Ａ及び第２支持部３Ｂとから構成され、胴部２を回転させることによって、第１支持部３Ａ及び第２支持部３Ｂが同時に進退変位するので、床下支持部材１の高さ調整が容易かつ迅速に行える点に特徴を有する。
【００１７】
胴部２は、略円筒形状を呈し、図２に示すように、その内周面に雌ネジ部を形成してある。又、胴部２は、その中腹部２１が肉厚に膨らんで形成され、作業時において作業員が握り易い形状となっている。又、胴部２の中腹部２１には、その外周面の長手方向に複数のリブ２２が形成されており、これらのリブ２２は、胴部２の構造上の強度を高めると共に、作業員が中腹部２１を握った際の滑り止めとして機能する。
【００１８】
第１支持部３Ａ及び第２支持部３Ｂは、台座部３１及び軸部３２から成る。
台座部３１は、略フランジ形状を呈し、その底面（見かけ上のフランジ面）は、床下材Ａ又は床下面Ｂに対する接触面となっている。又、台座部３１は、その外周面に裾状にリブ３３が形成され、その構造上の強度が補強されている。
軸部３２は、その外周面上に雄ネジ部を形成してあり、台座部３１から延出して設けられている。
【００１９】
第１支持部３Ａ及び第２支持部３Ｂは、各々の軸部３２を胴部２内に挿入し、その雄ネジ部を胴部２の雌ネジ部と螺合するようにしてある。又、第１支持部３Ａ及び第２支持部３Ｂは、床下支持部材１が胴部２を中心として対称となるように、胴部２の両側に各々装着される。
【００２０】
本発明の床下支持部材１では、第１支持部３Ａ及び第２支持部３Ｂが回転しないように拘束された状態で、胴部２を回転させると、胴部２の雌ネジ部と第１支持部３Ａ及び第２支持部３Ｂの雄ネジ部との螺合によって、第１支持部３Ａ及び第２支持部３Ｂは、互いに胴部２から突出するように移動する。これによって、図３に示すように、床下支持部材１は伸長する。
【００２１】
作業時においては、床下支持部材１は床下材Ａと床下面Ｂとの間にその高さ方向を立てて挿入され、一方の台座部３１の底面を床下材Ａに当接すると共に、他方の台座部３１の底面を床下面Ｂに当接して設置される。この時、第１支持部３Ａ及び第２支持部３Ｂは、これらの台座部３１，３１と床下材Ａ及び床下面Ｂとが面接触することによって、回転しないように拘束される。
【００２２】
次に、作業員が手で胴部２を把持して回転させると、床下支持部材１は伸長して、台座部３１、３１の底面が床下材Ａ及び床下面Ｂに圧力を付勢する。これによって、図４に示すように、床下支持部材１が床下材Ａと床下面Ｂとの間に一本の突っかえ棒として挟み込まれ、建築物の床下構造が補強される。
【００２３】
本発明の床下支持部材１によれば、胴部２を回転させることにより容易かつ迅速に床下支持部材１を伸縮できるので、床下支持部材１の高さ調整を効率的に為し得るという利点がある。
【００２４】
又、床下支持部材１は、胴部２を中心として高さ方向に対称に構成されているので、その上下を意識する必要がない。従って、暗く作業性の悪い床下においても、効率的に床下支持部材１の設置作業を進め得るという利点がある。
【００２５】
又、床下支持部材１では、第１支持部３Ａ及び第２支持部３Ｂが単一の胴部２の両側に装着されているので、胴部２を回転させると、螺子部の螺合によって、第１支持部３Ａ及び第２支持部３Ｂが同時に移動される。従って、単純な操作によって、床下支持部材１を迅速に伸縮することができる。
【００２６】
本発明の床下支持部材１では、胴部２の両端部付近に、胴部２と第１支持部３Ａ及び第２支持部３Ｂとの位置関係を固定する固定手段２３が設けられている。固定手段２３は、第１支持部３Ａ及び第２支持部３Ｂに対してそれぞれ設けられ、その締め付け力によって、胴部２に対する第１支持部３Ａ及び第２支持部３Ｂの自由回転を拘束する。これによって、振動等により胴部２が回転して床下支持部材１が勝手に伸縮し、床下材Ａに対する支持が緩む事態が抑制される。
尚、この実施例では、固定手段２３を蝶螺子２３としてあり、何等特別な工具を使用することなく、作業員の手指によって容易に締め付けが可能である。
【００２７】
又、本発明の床下支持部材１では、胴部２の中腹部に軸と垂直方向に貫通する貫通孔２４を穿設してある。床下支持部材１の設置時には、この貫通孔２４に棒状部材（図示を省略する）を挿通させて回転させることによって、梃子の原理によりあまり労力を要することなく胴部２を回転させることができ、床下支持部材１の高さ調整を容易に為し得るという利点がある。
【００２８】
又、本発明の床下支持部材１では、第１支持部３Ａ及び第２支持部３Ｂ内に弾性部材３４が設けられている。弾性部材３４は、台座部３１内に設けられ、軸部３２をその軸方向に常時付勢している。
かかる構成によれば、地震等により強い振動が発生した時においても、弾性部材３４がその振動を十分に吸収する。かかる免震構造によって、床下支持部材１は、地震等の強い振動が発生した際にも、倒れることなく床下材Ａを確実に支持することができる。
【図面の簡単な説明】
【００２９】
【図１】本発明の床下支持部材の（Ａ）は平面図、（Ｂ）は正面図、（Ｃ）は右側面図である。
【図２】本発明の床下支持部材の縦断面図である。
【図３】本発明の床下支持部材を伸長させた状態を示す正面図である。
【図４】本発明の床下支持部材の使用状態を示す正面図である。
【符号の説明】
【００３０】
１    床下支持部材
２    胴部
３Ａ  第１支持部３Ａ
３Ｂ  第２支持部３Ｂ
２４  貫通孔
３４  弾性部材
【図１】
2005220583.tif 000003
【図２】
2005220583.tif 000004
【図３】
2005220583.tif 000005
【図４】
2005220583.tif 000006